【手続補正書】
【提出日】平成18年9月7日(2006.9.7)
【手続補正１】
【補正対象書類名】明細書
【補正対象項目名】特許請求の範囲
【補正方法】変更
【補正の内容】
【特許請求の範囲】
【請求項１】  写真、証明書等を展示するための枠付け装置であって、
共通の連続縁が設けられた外側面と内側面とを有し、該枠付け装置の最外層を形成する透明素材シートと、
該外側面は、該枠付け装置の最外表面を形成しており、該最外表面は、縁から縁までほぼ単一平面で延在しており、
該共通の連続縁の一部分には接着剤が付かないように、該共通の連続縁に隣接して該内側面に沿って塗布されている接着剤と、
前面と裏面を有し、少なくとも該裏面が粘着性を有しており、該前面が該透明素材シートに該接着材により固定されている可撓性裏当て素材シートと、
該裏当て素材シートの該裏面に取り付けられている剥離ライナーと、を含み、
該共通の連続縁の該接着剤が付いていない該一部分と該裏当て素材シートは、展示すべき物品の挿入と取り出しができる溝穴を画成しており、
該裏当て素材シートの該裏面は、展示表面に取り外すことができるように貼り付けることができることを特徴とする枠付け装置。
【請求項２】  該透明素材シートは、該透明素材シートの一方の面に押印された額を有することを特徴とする請求項１に記載の枠付け装置。
【請求項３】  該裏当て素材シートの該前面は、ほとんど粘着性がないことを特徴とする請求項１に記載の枠付け装置。
【請求項４】  該裏当て素材シートの該前面は、該前面に貼り付けられている粘着性のないプラスチック素材シートを含んでいることを特徴とする請求項３に記載の枠付け装置。
【請求項５】  該裏当て素材シートは、発泡体でつくられることを特徴とする請求項１に記載の枠付け装置。
【請求項６】  該透明素材シートは、中央に鑑賞領域を含んでおり、該接着剤は、該共通の連続縁から該鑑賞領域へ向かって約１．２７ｃｍだけ延在していることを特徴とする請求項１に記載の枠付け装置。
【請求項７】  該透明素材シートは、０．０２５ｃｍ以下の厚さを有していることを特徴とする請求項１に記載の枠付け装置。
【請求項８】  該透明素材シートに塗布されている該接着剤は、０．０２５ｃｍ以下の厚さの層を形成していることを特徴とする請求項７に記載の枠付け装置。
【請求項９】  該裏当て素材シートの厚さは、厚く、
該裏当て素材シートの該前面は、ポリプロピレンシートを貼り付けることにより処理されており、
該裏当て素材シートと該ポリプロピレンシートとを結合した厚さは、０．０７３ｃｍ以下であることを特徴とする請求項３に記載の枠付け装置。
【請求項１０】  該粘着性は、該裏当て素材シートの少なくとも該裏面に塗布された塗膜に起因していることを特徴とする請求項１に記載の枠付け装置。
【請求項１１】  該透明素材シートは、該透明素材シートの一方の面に押印された額を有することを特徴とする請求項１０に記載の枠付け装置。
【請求項１２】  該裏当て素材シートの該前面は、ほとんど粘着性がないことを特徴とする請求項１０に記載の枠付け装置。
【請求項１３】  該裏当て素材シートの該前面は、該前面に貼り付けられている粘着性のないプラスチック素材シートを含んでいることを特徴とする請求項１２に記載の枠付け装置。
【請求項１４】  該裏当て素材シートは、発泡体でつくられることを特徴とする請求項１０に記載の枠付け装置。
【請求項１５】  該透明素材シートは、中央に鑑賞領域を含んでおり、
該接着剤は、該共通の連続縁から該鑑賞領域へ向かって約１．２７ｃｍだけ延在していることを特徴とする請求項１０に記載の枠付け装置。
【請求項１６】  該透明素材シートは、０．０２５ｃｍ以下の厚さを有していることを特徴とする請求項１０に記載の枠付け装置。
【請求項１７】  該透明素材シートに塗布されている該接着剤は、０．０２５ｃｍ以下の厚さの層を形成していることを特徴とする請求項１６に記載の枠付け装置。
【請求項１８】  該塗膜を塗布された該裏当て素材シートの厚さは、厚く、
該塗膜を塗布された該裏当て素材シートの該前面は、ポリプロピレンシートを貼り付けることにより処理されており、
該塗膜を塗布された該裏当て素材シートと該ポリプロピレンシートとを結合した厚さは、０．０７３ｃｍ以下であることを特徴とする請求項１２に記載の枠付け装置。
【請求項１９】  写真、証明書等を展示するための枠付け装置であって、
外側面と内側面と共通の連続縁とを有し、該枠付け装置の最外層を形成するようにほぼ縁から縁まで延在している透明素材シートと、
該共通の連続縁の一部分には接着剤が付かないように、該共通の連続縁に隣接して該内側面に沿って塗布されている接着剤と、
前面と裏面を有し、少なくとも該裏面が粘着性を有しており、該前面が該透明素材シートに該接着材により固定されており、発泡体でつくられている可撓性裏当て素材シートと、
該裏当て素材シートの該裏面に取り付けられている剥離ライナーと、を含み、
該共通の連続縁の該接着剤が付いていない該一部分と該裏当て素材シートは、展示すべき物品の挿入と取り出しができる溝穴を画成しており、
該裏当て素材シートの該裏面は、展示表面に取り外すことができるように貼り付けることができることを特徴とする枠付け装置。
【請求項２０】  写真、証明書等を展示するための枠付け装置であって、
外側面と内側面と共通の連続縁とを有し、該枠付け装置の最外層を形成するようにほぼ縁から縁まで延在している透明素材シートと、
該共通の連続縁の一部分には接着剤が付かないように、該共通の連続縁に隣接して該内側面に沿って塗布されている接着剤と、
前面と裏面を有し、該裏面が粘着性を有しており、該前面が該透明素材シートに該接着材により固定されている可撓性裏当て素材シートと、
該裏当て素材シートがポリプロピレンの前面層を含んでいることにより該裏当て素材シートの該前面は、ほとんど粘着性がなく、該裏当て素材シートの厚さは、０．０７３ｃｍ以下であり、
該裏当て素材シートの該裏面に取り付けられている剥離ライナーと、を含み、
該共通の連続縁の該接着剤が付いていない該一部分と該裏当て素材シートは、展示すべき物品の挿入と取り出しができる溝穴を画成しており、
該裏当て素材シートの該裏面は、展示表面に取り外すことができるように貼り付けることができることを特徴とする枠付け装置。
【請求項２１】  写真、証明書等を展示するための枠付け装置であって、
外側面と内側面と共通の連続縁とを有し、該枠付け装置の最外層を形成するようにほぼ縁から縁まで延在している透明素材シートと、
該共通の連続縁の一部分には接着剤が付かないように、該共通の連続縁に隣接して該内側面に沿って塗布されている接着剤と、
前面と裏面を有し、少なくとも該裏面に塗膜を塗布したことにより少なくとも該裏面が粘着性を有しており、該前面が該透明素材シートに該接着材により固定されており、発泡体でつくられている可撓性裏当て素材シートと、
該裏当て素材シートの該裏面に取り付けられている剥離ライナーと、を含み、
該共通の連続縁の該接着剤が付いていない該一部分と該裏当て素材シートは、展示すべき物品の挿入と取り出しができる溝穴を画成しており、
該裏当て素材シートの該裏面は、展示表面に取り外すことができるように貼り付けることができることを特徴とする枠付け装置。
【請求項２２】  写真、証明書等を展示するための枠付け装置であって、
外側面と内側面と共通の連続縁とを有し、該枠付け装置の最外層を形成するようにほぼ縁から縁まで延在している透明素材シートと、
該共通の連続縁の一部分には接着剤が付かないように、該共通の連続縁に隣接して該内側面に沿って塗布されている接着剤と、
前面と裏面を有し、該裏面に塗膜を塗布したことにより該裏面が粘着性を有しており、該前面が該透明素材シートに該接着材により固定されている可撓性裏当て素材シートと、
該裏当て素材シートがポリプロピレンの前面層を含んでいることにより該裏当て素材シートの該前面は、ほとんど粘着性がなく、該裏当て素材シートの厚さは、０．０７３ｃｍ以下であり、
該裏当て素材シートの該裏面に取り付けられている剥離ライナーと、を含み、
該共通の連続縁の該接着剤が付いていない該一部分と該裏当て素材シートは、展示すべき物品の挿入と取り出しができる溝穴を画成しており、
該裏当て素材シートの該裏面は、展示表面に取り外すことができるように貼り付けることができることを特徴とする枠付け装置。
【請求項２３】  写真、証明書等に枠付けをするための装置をつくる方法であって、
外側面と内側面と連続縁とを有する透明素材シートの一方の面に額縁模様を印刷する印刷工程と、
該連続縁の一部分には接着剤が付かないように、該連続縁に隣接して該内側面に接着剤の層を塗布する塗布工程と、
塗布された該接着剤を使用して可撓性裏当て素材シートを該透明素材シートに接着する接着工程と、
該接着工程により該接着剤が付いていない該一部分に展示すべき物品の挿入のための溝穴が画成され、
該裏当て素材シートは粘着性を有しており、
該透明素材シートと該裏当て素材シートをほぼ同時に切断して所望の形状にする切断工程とを含むことを特徴とする方法。
【請求項２４】  該裏当て素材シートは、発泡体でつくられることを特徴とする請求項２３に記載の方法。
【請求項２５】  該裏当て素材シートは、前面と裏面を有しており、
少なくとも該裏面は、粘着性を有しており、
該接着工程は、該前面をほとんど粘着性のない素材で処理する処理工程の後で行われることを特徴とする請求項２３に記載の方法。
【請求項２６】  該粘着性は、該裏当て素材シートの少なくとも該裏面に塗布された塗膜に起因していることを特徴とする請求項２５に記載の方法。
【請求項２７】  該裏当て素材シートは、前面と裏面を有しており、
該接着工程は、該前面をほとんど粘着性のない素材で処理する処理工程の後で行われることを特徴とする請求項２３に記載の方法。
【請求項２８】  該ほとんど粘着性のない素材は、ポリプロピレンであることを特徴とする請求項２７に記載の方法。
【手続補正２】
【補正対象書類名】明細書
【補正対象項目名】００２５
【補正方法】変更
【補正の内容】
【００２５】
裏当て素材シート１８は、透明シート状素材１２の幾何形状に対応した形状とするのが好ましい。  裏当て素材シート１８は、第一面（「前面」）３０（完成した装置において透明素材の方に向く面）と第二面（「裏面」）３２とを有している。  裏当て素材１８の少なくとも第二面３２は、粘着性を有している。  第二面３２には、剥離ライナー３４が貼り付けられている。  裏当て素材シート１８は、第一面３０の一部分が接着剤２２に接触して接着され、裏当て素材シート１８の縁３６が透明シート状素材１２の縁２０と一致するように位置決めされて、装置１０が完成する。